(57)【特許請求の範囲】
【請求項１】
橋梁幅員方向の主桁（９）の外側端部に埋込支持して外部へ露出させた埋込筋（９０）を予め橋梁橋長方向に配設しておき、
該埋込筋（９０）に連結させた地覆筋（５）を配筋すると共に、該埋込筋（９０）と地覆筋（５）とを含む所定区画の橋梁幅員方向の側面にプレキャストコンクリート製パネル（３、４）を対向させて配置して型枠（２）を構成し、
該型枠（２）を主桁（９）に連結固定した後、
該型枠（２）内にコンクリート（８）を打設して該型枠（２）と一体化させて地覆（１）を形成したことを特徴とする橋梁の地覆施工方法。
【請求項２】
橋梁幅員方向の主桁（９）の外側端部に埋込支持して外部へ露出させて橋梁橋長方向に配設した埋込筋（９０）と、
該埋込筋（９０）に連結させて配筋した地覆筋（５）と、
該埋込筋（９０）と地覆筋（５）とを含む所定区画の橋梁幅員方向の側面に対向させて配置して主桁（９）の側端部に連結固定したプレキャストコンクリート製パネル（３、４）と、
からなることを特徴とする橋梁の地覆施工方法に用いる地覆型枠。
【発明の詳細な説明】
【０００１】
【発明の属する技術分野】
本願発明は、複数の主桁を並列状に架設して構成する橋梁において、その幅員方向の側端部に形成する地覆の施工方法及びこれに用いる地覆型枠に関する。
【０００２】
【従来の技術】
橋梁の地覆は、車両または歩行者の交通区分を行い、歩行者等の通行の安全性を向上させるために床版（又は路盤）の橋梁幅員方向（以下「幅員方向」）の両外側端に、橋梁橋長方向（以下「橋長方向」）沿って設置する付属構造物である。
【０００３】
上記の地覆は、例えばプレテン桁を主桁Ｍｇとする橋梁Ｂの場合においては、図４（Ａ）に示すように、主桁Ｍｇの橋幅方向の両外側に配設されている。かかる地覆Ｋの施工は、図４（Ｂ）に示すように、吊りボルトＪ２を用いて主桁Ｍｇの下面に角材Ｊ１を設置し、桟木Ｊ３、単管Ｊ４、フォームタイＪ５、セパレータＪ６、合板Ｊ７、主桁ＭｇのインサートＭｇ１等を組み合わせて地覆コンクリート打設用の型枠Ｊを形成した後、コンクリートＪ８を打設し、養生硬化を待ってかかる型枠Ｊを解体することにより地覆の形成を行っていた。
【０００４】
【発明が解決しようとする課題】
しかしながら、上記従来の地覆施工方法では型枠の組み立てや解体に多くの手数が掛かり、施工期間が長くなるという問題点があった。
【０００５】
また、コンクリートの打設硬化後に型枠が解体されると、地覆が突起状の形態をしているため、コンクリートの単位体積当たりの外気露出面積が比較的大きくなり、コンクリートの乾燥収縮によるひび割れが発生し易いという問題点があった。
【０００６】
【目的】
そこで、本願発明は上記問題点に鑑み為されたものであり、地覆構築の施工期間の短縮を図ると共に、コンクリートの乾燥収縮によるひび割れを防止する地覆施工方法及びこれに用いる地覆型枠を提供する。
【０００７】
【課題を解決するための手段】
上記問題を解決するために、本願発明にかかる橋梁の地覆施工方法は以下のように施工している。
すなわち、橋梁幅員方向の主桁（９）の外側端部に埋込支持して外部へ露出させた埋込筋（９０）を予め橋梁橋長方向に配設しておき、該埋込筋（９０）に連結させた地覆筋（５）を配筋すると共に、該埋込筋（９０）と地覆筋（５）とを含む所定区画の橋梁幅員方向の側面にプレキャストコンクリート製パネル（３、４）を対向させて配置して型枠（２）を構成し、該型枠（２）を主桁（９）に連結固定した後、該型枠（２）内にコンクリート（８）を打設して該型枠（２）と一体化させて地覆（１）を形成したことを特徴としている。
【０００８】
また、上記の地覆施工方法に用いる地覆型枠は以下のように構成している。
すなわち、橋梁幅員方向の主桁（９）の外側端部に埋込支持して外部へ露出させて橋梁橋長方向に配設した埋込筋（９０）と、該埋込筋（９０）に連結させて配筋した地覆筋（５）と、該埋込筋（９０）と地覆筋（５）とを含む所定区画の橋梁幅員方向の側面に対向させて配置して主桁（９）の側端部に連結固定したプレキャストコンクリート製パネル（３、４）と、からなることを特徴としている。
【０００９】
なお、上記の特許請求の範囲及び課題を解決するための手段の欄で記載した括弧付き符号は、発明の構成の理解を容易にするため参考として図面符号を付記したものであり、この図面上の形態に限定するものでないことはもちろんである。
【００１０】
【発明の実施の形態】
以下に、本願発明に係る橋梁の地覆施工方法及びこれに用いる地覆型枠の具体的な実施形態例について、図面に基づき詳細に説明する。
【００１１】
図１は本実施形態例の橋梁を示す一部切欠き斜視図であり、図２は本実施形態例の橋梁の地覆を示す断面図であり、図３は本実施形態例の橋梁の地覆のＡＡ線断面図ある。
【００１２】
図１に示す本実施形態例の橋梁Ｂの形式は、工場で予めＰＣ鋼線にプレストレスを導入して製作したプレテン桁橋に関するものであり、プレテン桁を主桁９として密接並列状に橋脚上に架設し、床版Ｆを形成したものである。そして、地覆１は幅員方向の外側端部の主桁９に対して上面及び側面に形成されている。
【００１３】
上記の地覆１の施工方法は、主に、主桁９に連結固定して型枠２を構築する工程と、構築した型枠２にコンクリート８を打設して型枠２と一体化させるように硬化させる工程から成り立っている。
【００１４】
型枠２は、幅員方向の外側端部に配置する主桁９に予め埋込支持されて上方外部へ露出させた埋込筋９０とこれと連結させた地覆筋５とを含む所定区画を、予め工場生産等により既製しておいたプレキャストコンクリート製のパネル（以下、「パネル」と略称する。）である内側パネル３と外側パネル４とを組み合わせて主桁９に連結固定するようにして構築している。
【００１５】
なお、パネル間の目地と打設するコンクリート８との接点部には雨水の浸入を防止するためシール材６を充填している。
【００１６】
上述した施工方法より、本実施形態例の地覆１は、埋込筋９０と地覆筋５と、主桁９に連結固定する内側パネル３、外側パネル４から成る型枠２と、及び打設するコンクリート８を構成要素としている。
【００１７】
上記の埋込筋９０は、予め主桁９に埋込支持して外部上方へ露出させて橋長方向に配設させた鉄筋であり、上記の地覆筋５はこの埋込筋９０に連結させて配設した鉄筋であり、これら埋込筋９０及び地覆筋５により地覆１を補強している。
【００１８】
次に、上記の内側パネル３は、主桁９に対して内側上方に配置されるパネル材であり、肉厚を増した峰状のリブ３０を橋長方向に複数本形成（本実施形態例では２本）すると共に、このリブ３０内の橋長方向に通し筋（図示省略）を配設している。また、リブ３０には所定間隔で埋込みボルト３１を配置している。
【００１９】
上記の外側パネル４は、主桁９に対して外側側面に配置されるパネル材であり、上端側には、内側パネル３と同様なリブ４０を橋長方向に所定の間隔で複数本形成（本実施形態例では内側パネルのリブ３０との対向位置を含め３本）すると共に、リブ４０内の橋長方向に通し筋（図示省略）を配設し、所定間隔で埋込みボルト４１を配置している。また、外側パネル４の下端側には主桁９方向へ水平屈曲させた略Ｌ字状の水切部４２を形成している。さらに、図２に示すように、この水切部４２と主桁９の側端面との間には、その間隙を塞ぐように底板４３を配設している。該底板４３の取り付けは、この水切部４２の先端側の上面と、主桁９の側端面下部に形成された下り勾配面を有する肩部９２との間に架け渡すようにして載置した後、接着手段などにより固定するようにしている。
このように底板４３を外側パネル４とは別体に形成して取り付けることとしたのは、主桁９に対する外側パネル４の取り付け誤差を吸収させると共に、外側パネル４を伝わって流下してきた雨水等を、主桁９へ伝わるのを防止する水切り効果を目的としたためである。
なお、互いに接して長手方向に連続させる各底板４３どうしの突合せ面（目地）にも上記したパネル間の目地と同様にシール材６を充填している。
【００２０】
最後に、型枠２を構成する内外パネル３、４の連結固定は、対向したパネル間の埋込みボルト３１、４１に掛け渡されて溶接または螺合等により連結固定する連結棒７によって行っている。また、上記の型枠２自体の主桁側端部への連結固定は、主桁９の側端面に予め配設しておいたインサート９１と外側パネル４に配設した埋込みボルト４１とを溶接により連結固定する連結棒７によって行っている。なお、底板４３は内外パネル３、４の主桁９への固定後に、外側パネル４の斜め下方から入れ込むように配置し、固定等するようにしている。
【００２１】
【効果】
本願発明の橋梁の地覆施工方法及びこれに用いる地覆型枠は上記のように構成しているため、以下の効果を奏する。
【００２２】
すなわち、従来の煩雑な型枠の構築及び解体が省略されるため、施工期間が短縮され、コスト削減の効果を有する。
【００２３】
また、型枠の解体がないため、従来発生していたコンクリートの乾燥ひび割れがなくなり、外観及び強度が向上することになる。
【図面の簡単な説明】
【図１】  本実施形態例の橋梁を示す一部切欠き斜視図である。
【図２】  本実施形態例の橋梁の地覆を示す断面図である。
【図３】  本実施形態例の橋梁の地覆のＡＡ線断面図ある。
【図４】  従来の地覆及び地覆施工状態を示す断面図である。
【符号の説明】
１  地覆
２  型枠
３  内側パネル
３０  リブ
３１  埋込みボルト
４  外側パネル
４０  リブ
４１  埋込みボルト
４２  水切部
４３  底板
５  地覆筋
６  シール材
７  連結棒
８  コンクリート
９  主桁
９０  埋込筋
９１  インサート
９２  肩部
Ｂ  橋梁
Ｆ  床版
Ｋ  地覆（従来例）
Ｍｇ  主桁（従来例）
Ｍｇ１  インサート
Ｊ  型枠
Ｊ１  角材
Ｊ２  吊りボルト
Ｊ３  桟木
Ｊ４  単管
Ｊ５  フォームタイ
Ｊ６  セパレータ
Ｊ７  合板
Ｊ８  コンクリート
【図１】
0004054857.tif 000002
【図２】
0004054857.tif 000003
【図３】
0004054857.tif 000004
【図４】
0004054857.tif 000005